(57)【要約】【課題】配光切替式前照灯において走行用・ハイビーム用の照明照度を高められるようにする。【解決手段】プロジェクタ型前照灯１のシェード４０は、投影レンズ３０とリフレクタ２０との間に配置され、光軸Ａｘよりも左側に配置された前後方向の回転軸６５を支点として振り上げ・振り下げ可能に設けられた左遮光板６０と、投影レンズ３０とリフレクタ２０との間に配置され、左遮光板６０の前又は後ろに重なり、光軸Ａｘよりも右側に配置された前後方向の回転軸７５を支点として振り上げ・振り下げ可能に設けられた右遮光板７０と、を備える。遮光板６０，７０が振り上げられると、これらの上縁６６，７６が光軸Ａｘ又はその近傍において左右方向に延びた状態となる。遮光板６０，７０が振り下げられると、これらの上縁６６．７６が水平面に対して傾斜した状態となる。【選択図】図１
2011159560.tif 000002
【特許請求の範囲】
【請求項１】
光源と、
前記光源からの光を前方に反射させるリフレクタと、
前記リフレクタからの反射光を前方に投影する投影レンズと、
前記リフレクタから前記投影レンズに向かう反射光の一部を遮光して、明暗境界線を有する配光パターンを形成するシェードと、を備え、
前記シェードが、
前記投影レンズと前記リフレクタとの間に配置され、前記投影レンズの光軸よりも左側に配置された前後方向の回転軸を支点として振り上げ・振り下げ可能に設けられた左遮光部と、
前記投影レンズと前記リフレクタとの間に配置され、前記左遮光部の前又は後ろに重なり、前記投影レンズの光軸よりも右側に配置された前後方向の回転軸を支点として振り上げ・振り下げ可能に設けられた右遮光部と、を有し、
前記左遮光部は、その上縁が前記投影レンズの光軸又はその近傍において左右方向に延びた振り上げ状態と、その上縁が前記投影レンズの光軸から下に離れるとともに水平面に対して右下りに傾斜した振り下げ状態とに振り上げ・振り下げ可能に設けられ、
前記右遮光部は、その上縁が前記投影レンズの光軸又はその近傍において左右方向に延びた振り上げ状態と、その上縁が前記投影レンズの光軸から下に離れるとともに水平面に対して左下りに傾斜した振り下げ状態とに振り上げ・振り下げ可能に設けられていることを特徴とするプロジェクタ型前照灯。
【請求項２】
前記左遮光部及び前記右遮光部が共に振り上げ状態にある場合に、前記左遮光部の上縁と右遮光部の上縁が揃っていることを特徴とする請求項１に記載のプロジェクタ型前照灯。
【請求項３】
前記シェードが、前記左遮光部の振り上げ動作に前記左遮光部の振り上げ動作を連動させるとともに、前記左遮光部の振り下げ動作に前記右遮光部の振り下げを連動させる連動機構を更に有することを特徴とする請求項１又は２に記載のプロジェクタ型前照灯。
【請求項４】
前記連動機構が、前記左遮光板と前記右遮光板の一方に設けられ、左右に長尺なガイド穴と、他方に設けられ、前記ガイド穴に挿入されて前記ガイド穴に沿って左右に摺動する摺動子と、を有することを特徴とする請求項３に記載のプロジェクタ型前照灯。
【請求項５】
前記シェードが、前記左遮光部又は前記右遮光部の振り上げ・振り下げをする駆動機構を更に有することを特徴とする請求項１から３の何れか一項に記載のプロジェクタ型前照灯。
【請求項６】
プロジェクタ前照灯の投影レンズの後方に配置されたリフレクタから前記投影レンズに向かう反射光の一部を遮光して、明暗境界線を有する配光パターンを形成するシェードであって、
前記投影レンズと前記リフレクタとの間に配置され、前記投影レンズの光軸よりも左側に配置された前後方向の回転軸を支点として振り上げ・振り下げ可能に設けられた左遮光部と、
前記投影レンズと前記リフレクタとの間に配置され、前記左遮光部の前又は後ろに重なり、前記投影レンズの光軸よりも右側に配置された前後方向の回転軸を支点として振り上げ・振り下げ可能に設けられた右遮光部と、を備え、
前記左遮光部は、その上縁が前記投影レンズの光軸又はその近傍において左右方向に延びた振り上げ状態と、その上縁が前記投影レンズの光軸から下に離れるとともに水平面に対して右下りに傾斜した振り下げ状態とに振り上げ・振り下げ可能に設けられ、
前記右遮光部は、その上縁が前記投影レンズの光軸又はその近傍において左右方向に延びた振り上げ状態と、その上縁が前記投影レンズの光軸から下に離れるとともに水平面に対して左下りに傾斜した振り下げ状態とに振り上げ・振り下げ可能に設けられていることを特徴とするシェード。
【発明の詳細な説明】
【技術分野】
【０００１】
本発明は、プロジェクタ型前照灯及びシェードに関する。
【背景技術】
【０００２】
従来のプロジェクタ型前照灯では、シェードの上縁が投影レンズの焦点又はその近傍に配置されている。光源から発した光がリフレクタによって前方に反射され、その反射光の一部がシェードによって遮光され、遮光されない反射光が投影レンズによって前方に投影される。反射光の一部がシェードによって遮光されることによって、略水平な明暗境界線を有する配光パターンが前方に形成され、明暗境界線よりも上向きの光がない。これにより、すれ違い走行用・ロービーム用の配光パターンが形成され、対向車にとってはグレアの発生を抑えることができる。
【０００３】
例えば、特許文献１に記載されているように、シェードが左右方向に延びた回転軸に取り付けられている。このシェードが回転軸を中心にして後ろに倒れると、シェードの上縁が投影レンズの焦点から斜め後ろに離れ、シェードによって遮光される範囲が狭くなる。そのため、走行用・ハイビーム用の配光パターンが形成される。
【先行技術文献】
【特許文献】
【０００４】
【特許文献１】特開２００９−２７７４９０号公報
【発明の概要】
【発明が解決しようとする課題】
【０００５】
ところが、上記文献の技術では、シェードが後ろに倒れてその上縁が投影レンズの焦点から離れても、シェード全体としては投影レンズの焦点近傍に残っている。そのため、本来有効利用することができる光が、後倒したシェードによって遮光されてしまい、走行用・ハイビーム用の照明照度が低くなってしまう。
そこで、本発明が解決しようとする課題は、配光切替式前照灯において走行用・ハイビーム用の照明照度を高められるようにすることである。
【課題を解決するための手段】
【０００６】
以上の課題を解決するため、本発明に係るプロジェクタ型前照灯は、光源と、前記光源からの光を前方に反射させるリフレクタと、前記リフレクタからの反射光を前方に投影する投影レンズと、前記リフレクタから前記投影レンズに向かう反射光の一部を遮光して、明暗境界線を有する配光パターンを形成するシェードと、を備え、前記シェードが、前記投影レンズと前記リフレクタとの間に配置され、前記投影レンズの光軸よりも左側に配置された前後方向の回転軸を支点として振り上げ・振り下げ可能に設けられた左遮光部と、前記投影レンズと前記リフレクタとの間に配置され、前記左遮光部の前又は後ろに重なり、前記投影レンズの光軸よりも右側に配置された前後方向の回転軸を支点として振り上げ・振り下げ可能に設けられた右遮光部と、を有し、前記左遮光部は、その上縁が前記投影レンズの光軸又はその近傍において左右方向に延びた振り上げ状態と、その上縁が前記投影レンズの光軸から下に離れるとともに水平面に対して右下りに傾斜した振り下げ状態とに振り上げ・振り下げ可能に設けられ、前記右遮光部は、その上縁が前記投影レンズの光軸又はその近傍において左右方向に延びた振り上げ状態と、その上縁が前記投影レンズの光軸から下に離れるとともに水平面に対して左下りに傾斜した振り下げ状態とに振り上げ・振り下げ可能に設けられていることとした。
【０００７】
また、本発明に係るシェードは、プロジェクタ前照灯の投影レンズの後方に配置されたリフレクタから前記投影レンズに向かう反射光の一部を遮光して、明暗境界線を有する配光パターンを形成するシェードであって、前記投影レンズと前記リフレクタとの間に配置され、前記投影レンズの光軸よりも左側に配置された前後方向の回転軸を支点として振り上げ・振り下げ可能に設けられた左遮光部と、前記投影レンズと前記リフレクタとの間に配置され、前記左遮光部の前又は後ろに重なり、前記投影レンズの光軸よりも右側に配置された前後方向の回転軸を支点として振り上げ・振り下げ可能に設けられた右遮光部と、を備え、前記左遮光部は、その上縁が前記投影レンズの光軸又はその近傍において左右方向に延びた振り上げ状態と、その上縁が前記投影レンズの光軸から下に離れるとともに水平面に対して右下りに傾斜した振り下げ状態とに振り上げ・振り下げ可能に設けられ、前記右遮光部は、その上縁が前記投影レンズの光軸又はその近傍において左右方向に延びた振り上げ状態と、その上縁が前記投影レンズの光軸から下に離れるとともに水平面に対して左下りに傾斜した振り下げ状態とに振り上げ・振り下げ可能に設けられていることとした。
【０００８】
好ましくは、前記左遮光部及び前記右遮光部が共に振り上げ状態にある場合に、前記左遮光部の上縁と右遮光部の上縁が揃っていることとした。
【０００９】
好ましくは、前記シェードが、前記左遮光部の振り上げ動作に前記左遮光部の振り上げ動作を連動させるとともに、前記左遮光部の振り下げ動作に前記右遮光部の振り下げを連動させる連動機構を更に有することとした。
【００１０】
好ましくは、前記連動機構が、前記左遮光板と前記右遮光板の一方に設けられ、左右に長尺なガイド穴と、他方に設けられ、前記ガイド穴に挿入されて前記ガイド穴に沿って左右に摺動する摺動子と、を有することとした。
【００１１】
好ましくは、前記シェードが、前記左遮光部又は前記右遮光部の振り上げ・振り下げをする駆動機構を更に有することとした。
【発明の効果】
【００１２】
本発明によれば、左右の遮光部の回転軸が光軸から左右に離れており、左右の遮光部がそれぞれの回転軸を支点として揺動するので、振り上げ状態から振り下げ状態へのこれら遮光部の回転角度が小さくとも、これら遮光部の上縁から光軸までの距離が大きくなる。そのため、これら遮光部が振り下げられた状態では、光を有効利用することができ、走行用・ハイビーム用の照明照度が高くなる。そのため、遠方の視認性が向上し、安全運転に貢献することができる。
また、これら遮光部が振り下げられた状態では、これら遮光部の上縁が光軸から下に大きく離れているから、ホットゾーンを大きくすることができる。
【図面の簡単な説明】
【００１３】
【図１】プロジェクタ型前照灯の前方斜視図である。
【図２】プロジェクタ型前照灯の正面図である。
【図３】シェードの前方斜視図である。
【図４】シェードの後方斜視図である。
【図５】左右の遮光部が振り下げられた状態のプロジェクタ型前照灯の正面図である。
【図６】左右の遮光部が振り下げられた状態のシェードの前方斜視図である。
【図７】（ａ）は、左右の遮光部が振り上げられた場合に、プロジェクタ型前照灯によって仮想スクリーンに形成される配光パターンを示した図であり、（ｂ）は、左右の遮光部が振り下げられた場合に、プロジェクタ型前照灯によって仮想スクリーンに形成される配光パターンを示した図である。
【発明を実施するための形態】
【００１４】
以下に、本発明を実施するための形態について図面を用いて説明する。但し、以下に述べる実施形態には、本発明を実施するために技術的に好ましい種々の限定が付されているが、発明の範囲を以下の実施形態及び図示例に限定するものではない。
また、以下の説明において、「上」、「下」、「前」、「後」、「左」、「右」は、それぞれ、プロジェクタ型前照灯が装備された車両の「上」、「下」、「前」、「後」、「左」、「右」である。従って、後ろから前に向かって見て、左右の向きを定める。
【００１５】
図１は、プロジェクタ型前照灯１の前方斜視図である。図２は、プロジェクタ型前照灯１の正面図である。図３は、シェード４０の前方斜視図である。図４は、シェード４０の後方斜視図である。
【００１６】
プロジェクタ型前照灯１は、光源１０、リフレクタ２０、投影レンズ３０及びシェード４０等を備える。これらリフレクタ２０、投影レンズ３０及びシェード４０がハウジング（図示略）に取り付けられて、これら光源１０、リフレクタ２０、投影レンズ３０及びシェード４０がユニット化されている。なお、図２では、リフレクタ２０及びシェード４０を詳細に図示するため、投影レンズ３０の図示を省略する。
【００１７】
リフレクタ２０が略椀状に設けられ、そのリフレクタ２０が前方に向けて開口している。リフレクタ２０の内面にはアルミ蒸着、銀塗装等の反射膜が施されていて、反射面２１が形成されている。反射面２１は、楕円面の形状に形成されている。楕円面とは、前後方向に延びた中心軸を回転軸とした回転楕円面若しくは扁平楕円面又はこれらを基調とした自由曲面をいう。扁平楕円面とは、回転楕円面が上下又は左右につぶれたものであって、前後方向に沿った鉛直断面の形状が楕円形状を成し、水平断面の形状が放物線又は楕円形状（鉛直断面の楕円間形状の焦点距離と水平断面の楕円形状の焦点間距離が異なる。）に成すものをいう。また、反射面２１は、これらの回転楕円面、扁平楕円面又は自由曲面を組み合わせた複合楕円面であってもよい。
【００１８】
反射面２１が楕円面に形成されているので、その楕円面の頂点よりも前方に第一焦点Ｆ１が設定され、その第一焦点Ｆ１よりも前方に第二焦点Ｆ２が設定される。なお、反射面２１が扁平楕円面又はそれを基調とした自由曲面に形成されている場合には、第二焦点Ｆ２は焦線をいう。焦線は水平左右方向に延びるとともに、左右方向の中央部が後ろに凸となるよう湾曲している。
【００１９】
反射面２１の頂点には、リフレクタ２０を前後に貫通する装着孔２２が形成されている。光源１０がリフレクタ２０の後ろから装着孔２２に通され、その光源１０がソケット等の固定具（図示略）によってハウジングやリフレクタ２０に固定され、その光源１０がリフレクタ２０内に配置されている。この光源１０は、反射面２１の第一焦点Ｆ１又はその近傍に配置されている。この光源１０は、放電灯（例えば、高輝度放電灯（ＨＩＤ）、高圧金属蒸気放電灯等）、ハロゲン電球、白熱電球その他のバルブである。なお、バルブの代わりに、発光ダイオード、無機エレクトロルミネッセンス素子、有機エレクトロルミネッセンス素子その他の発光素子を用いてもよい。
【００２０】
反射面２１は光源１０から発した光を前に向けて反射させ、反射光を第二焦点Ｆ２に集光する。
【００２１】
リフレクタ２０の前には、投影レンズ３０が配設されている。この投影レンズ３０は、凸レンズである。投影レンズ３０の光軸Ａｘが前後方向に延びるよう、かつ、投影レンズ３０の焦点が反射面２１の第二焦点Ｆ２又はその近傍に位置するよう、投影レンズ３０が配置されている。投影レンズ３０の光軸Ａｘが反射面２１の中心軸に揃っていてもよいし、反射面２１の中心軸から僅かにずれていてもよい。
【００２２】
第二焦点Ｆ２又はその近傍にはシェード４０が設けられている。シェード４０は、反射面２１によって反射されて投影レンズ３０に向かう反射光の一部を第二焦点Ｆ２又はその近傍で遮光する。投影レンズ３０は、遮光されていない反射光を前方に投影する。
【００２３】
シェード４０は、枠体５０、左遮光板６０、右遮光板７０、連動機構８０、錘９１，９２及び駆動機構１００を有する。なお、図１、図２では、枠体５０の図示を省略する。
【００２４】
枠体５０は、リフレクタ２０と投影レンズ３０との間に配置されて、不図示のハウジングに固定されている。この枠体５０は、薄板状に設けられ、光軸Ａｘに対して垂直になるように立てた状態に設けられている。この枠体５０に開口５１が形成され、光軸Ａｘが開口５１を通っている。枠体５０の後面には、後方に膨出したポケット５２が設けられ、開口５１の下部がポケット５２によって塞がれているが、開口５１の上部はポケット５２によって塞がれていない。
【００２５】
左遮光部としての左遮光板６０は左右方向に長尺な薄板状に設けられている。この左遮光板６０の一方の面が前に向き、他方の面が後ろに向いた状態で、この左遮光板６０が枠体５０に支持されている。左遮光板６０の左上角部が、光軸Ａｘよりも左に配置された前後方向の回転軸６５によって枠体５０に連結されている。左遮光板６０が回転軸６５から右方に延出し、左遮光板６０が回転軸６５を支点にして上下に揺動可能に設けられている。
【００２６】
左遮光板６０の左部６１が光軸Ａｘに対して垂直な平板状に設けられている。左遮光板６０の中央部６２が第二焦点Ｆ２に係る焦線に沿うように湾曲している。左遮光板６０の右部６３が光軸Ａｘに対して垂直な平板状に設けられている。左遮光板６０の右部６３が他の部分６１，６２よりも薄く、右部６３の前面と中央部６２の前面との間に段差がある。
【００２７】
左遮光板６０は、上縁６６を有する。この上縁６６は、左右方向に延びている。遮光板６０の右部６３の上縁が、光軸Ａｘを左右に横切っている。遮光板６０の右部６３の上縁が、前から光軸Ａｘの方向に見て直線状に形成されている。
【００２８】
左遮光板６０が回転軸６５を中心にして振り上げられた状態では（図１〜図４参照）、左遮光板６０の上縁６６（主に右部６３の上縁）が略水平になっている（以下、このような状態を振り上げ状態という。）。左遮光板６０が振り上げ状態にある場合には、左遮光板６０の上縁６６（主に右部６３の上縁）の上下方向の位置が光軸Ａｘに揃っているか、又は光軸Ａｘよりも僅かに上又は下である。
【００２９】
一方、左遮光板６０が回転軸６５を中心にして振り下げられた状態では（図５〜図６参照）、左遮光板６０の上縁６６（主に右部６３の上縁）が水平線に対して右下りに傾斜している。左遮光板６０が振り下げ状態にある場合には、左遮光板６０の上縁６６（主に右部６３の上縁）が光軸Ａｘから下に離れている。
【００３０】
なお、左遮光板６０の右部６３の上縁のうち左の部分（以下、左部上縁という。）と右の部分（以下、右部上縁という。）に段差があり、左部上縁と右部上縁との間の部分（以下、傾斜部という。）が左部上縁及び右部上縁に対して傾斜していてもよい。具体的には、プロジェクタ型前照灯１が左側通行用である場合、左部上縁が右部上縁よりも上に位置し、傾斜部が右下りに傾斜している。一方、プロジェクタ型前照灯１が右側通行用である場合、右部上縁が左部上縁よりも上に位置し、傾斜部が左下りに傾斜している。この場合、左遮光板６０が振り上げ状態にある場合には、左部上縁及び右部上縁が略水平状態になっている。
【００３１】
右遮光部としての右遮光板７０は、左右方向に長尺な薄板状に設けられている。この右遮光板７０の一方の面が前に向き、他方の面が後ろに向いた状態で、この右遮光板７０が枠体５０に支持されている。右遮光板７０の右上角部が、光軸Ａｘよりも右に配置された前後方向の回転軸７５によって枠体５０に連結されている。右遮光板７０が回転軸７５から左方に延出し、右遮光板７０が回転軸７５を支点にして上下に揺動可能に設けられている。
【００３２】
右遮光板７０の左部７３が光軸Ａｘに対して垂直な平板状に設けられている。右遮光板７０の中央部７２が第二焦点Ｆ２に係る焦線に沿うように湾曲している。右遮光板７０の右部７１が光軸Ａｘに対して垂直な平板状に設けられている。右遮光板７０の左部７３が他の部分７１，７２よりも薄く、左部７３の後面と中央部７２の後面との間に段差がある。
【００３３】
右遮光板７０は、上縁７６を有する。この上縁７６は、左右方向に延びている。遮光板７０の左部７３の上縁が、光軸Ａｘを左右に横切っている。右遮光板７０の左部７３の上縁が、前から光軸Ａｘの方向に見て直線状に形成されている。
【００３４】
右遮光板７０が回転軸７５を中心にして振り上げられた状態では（図１〜図４参照）、右遮光板７０の上縁７６（主に左部７３の上縁）が略水平になっている（以下、このような状態を振り上げ状態という。）。右遮光板７０が振り上げ状態にある場合には、右遮光板７０の上縁７６（主に左部７３の上縁）の上下方向の位置が光軸Ａｘに揃っているか、又は光軸Ａｘよりも僅かに上又は下である。なお、回転軸７５の上下の位置と、回転軸６５の上下の位置は揃っていることが望ましい。
【００３５】
一方、右遮光板７０が回転軸７５を中心にして振り下げられた状態では（図５〜図６参照）、右遮光板７０の上縁７６（主に左部７３の上縁）が水平線に対して左下りに傾斜している。右遮光板７０が振り下げ状態にある場合には、右遮光板７０の上縁７６（主に左部７３の上縁）が、光軸Ａｘから下に離れている。
【００３６】
なお、遮光板７０の左部７３の上縁のうち左の部分（以下、左部上縁という。）と右の部分（以下、右部上縁という。）に段差があり、左部上縁と右部上縁との間の部分（以下、傾斜部という。）が左部上縁及び右部上縁に対して傾斜していてもよい。具体的には、プロジェクタ型前照灯１が左側通行用である場合、左部上縁が右部上縁よりも上に位置し、傾斜部が右下りに傾斜している。一方、プロジェクタ型前照灯１が右側通行用である場合、右部上縁が左部上縁よりも上に位置し、傾斜部が左下りに傾斜している。この場合、右遮光板７０が振り上げ状態にある場合には、左部上縁及び右部上縁が略水平状態になっている。
【００３７】
左遮光板６０が右遮光板７０の左側に配置され、左遮光板６０と右遮光板７０は左右にオーバーラップし、右遮光板７０の左部７３が左遮光板６０の右部６３の前に重なっている。そのオーバーラップした部分（左遮光板６０の右部６３と右遮光板７０の左部７３）は、光軸Ａｘの下において投影レンズ３０とリフレクタ２０との間に配置されている。具体的には、そのオーバーラップした部分の前後位置は、第二焦点Ｆ２の前後位置又はその近傍にある。また、左遮光板６０の右部６３の厚みと右遮光板７０の左部７３の厚みの和は、他の部分（左遮光板６０の左部６１及び中央部６２、並びに、右遮光板７０の右部７１及び中央部７２）の厚みに等しい。
【００３８】
左遮光板６０の左端部の下側には、錘９１が左遮光板６０から垂下するように取り付けられている。右遮光板７０の右端部の下側には、錘９２が右遮光板７０から垂下するように取り付けられている。
【００３９】
連動機構８０は、左遮光板６０の振り下げ動作に右遮光板７０の振り下げ動作を連動させるとともに、左遮光板６０の振り上げ動作に右遮光板７０の振り上げ動作を連動させるものである。連動機構８０は、左遮光板６０と右遮光板７０が互いにオーバーラップした部分に設けられている。この連動機構８０はガイド穴８１及び摺動ピン８２から構成される。ガイド穴８１は、右遮光板７０の左部７３を前後に貫通するように設けられている。ガイド穴８１は左右に長尺な長穴であって、左下りに傾斜している。摺動子としての摺動ピン８２は、左遮光板６０の右部６３の前面に凸設されている。この摺動ピン８２がガイド穴８１に挿入され、ガイド穴８１に沿って左右に案内される。
【００４０】
駆動機構１００は、左遮光板６０を振り上げ状態から振り下げ状態に及びその逆に駆動するものである。駆動機構１００は、ソレノイド１０１、リンク１０４及びＬ型リンク１０６等を有する。ソレノイド１０１は、枠体５０又はハウジングに取り付けられているとともに、遮光板６０，７０の下方に配置されている。ソレノイド１０１は、そのプランジャ１０２が左に向くように配置されている。ソレノイド１０１は、プランジャ１０２を左右に進出・後退させる。ソレノイド１０１は、単動式であってもよいし、複動式であってもよい。なお、ソレノイド１０１が単動式である場合、ソレノイド１０１にはリターンスプリング（図示略）が設けられており、ソレノイド１０１に通電するとプランジャ１０２がリターンスプリングに抗して引き込み、ソレノイド１０１の通電が解除されると、プランジャ１０２がリターンスプリングの弾性力によって引き出る。
【００４１】
プランジャ１０２の先端が回転ピン１０３によってリンク１０４の右端に回転可能に連結されている。リンク１０４の左端が回転ピン１０５によってＬ型リンク１０６の一端に回転可能に連結されている。Ｌ型リンク１０６が正面から見て逆Ｌ字状に配置されている。Ｌ型リンク１０６の角部が回転ピン１０７によって枠体５０に回転可能に連結されている。Ｌ型リンク１０６の他端には、駆動ピン１０８が設けられている。駆動ピン１０８は、左遮光板６０の回転軸６５の左側に配置されている。一方、左遮光板６０の左端部には、従動板１１０が取り付けられている。この従動板１１０は左遮光板６０の左縁から左方に延出し、従動板１１０の下縁が駆動ピン１０８の上から駆動ピン１０８に当接している。
【００４２】
プロジェクタ型前照灯１及びシェード４０の動作について説明する。
図２、図３に示すように、ソレノイド１０１のプランジャ１０２が左へ引き出た状態では、Ｌ型リンク１０６の回転ピン１０７から駆動ピン１０８にかけての部分が略水平になっている。その状態では、左遮光板６０が錘９１の自重によって振り上げ状態にあり、左遮光板６０の上縁６６が略水平になっており、従動板１１０が駆動ピン１０８に載った状態となっている。また、摺動ピン８２がガイド穴８１の右端に当接しており、これによって、正面から見て左遮光板６０の時計回りの回転が抑制され、右遮光板７０の反時計回りの回転が抑制されている。また、右遮光板７０が錘９２の自重によって振り上げ状態にあり、右遮光板７０の上縁７６が略水平になっている。
【００４３】
以上のように左右の遮光板６０，７０が共に振り上げ状態であると、左遮光板６０の右部６３の上縁と右遮光板７０の左部７３の上縁が互いに揃っている。左右の遮光板６０，７０の上縁６６，７６が第二焦点Ｆ２又はその近傍で水平になっているから、図７（ａ）に示すような配光パターンＰ１が、プロジェクタ型前照灯１から前方に所定距離離れた仮想スクリーンに形成される。配光パターンＰ１は、すれ違い走行用・ロービーム用の配光パターンであって、Ｈ線（Ｈ線とは、光軸Ａｘを通る水平面と仮想スクリーンとの交線である。）に沿ったカットオフライン（明暗境界線）Ｃ１を明部の上縁に有するものである。
【００４４】
そして、ソレノイド１０１のプランジャ１０２が右へ引き込むと、Ｌ型リンク１０６が正面から見て時計回りに回転する。Ｌ型リンク１０６の回転によって駆動ピン１０８が振り上げられ、駆動ピン１０８によって従動板１１０も回転軸６５を中心にして振り上げられる。従動板１１０の振り上げに伴って、左遮光板６０が正面から見て反時計回りに回転して振り下げられる。左遮光板６０の振り下げに伴って、右遮光板７０の左部７３が摺動ピン８２によって下に押され、右遮光板７０が正面から見て時計回りに回転して振り下げられる。左右の遮光板６０，７０が振り下げられる際には、摺動ピン８２がガイド穴８１に沿って左に摺動する。そして、摺動ピン８２がガイド穴８１の左端に当接すると、左右の遮光板６０，７０の振り下げ動作が止まる。この時、ソレノイド１０１のプランジャ１０２の引込動作も止まる。
【００４５】
図５、図６に示すように、ソレノイド１０１のプランジャ１０２が右へ引き込んだ状態では、左遮光板６０が振り下げ状態にあり、左遮光板６０の上縁６６が水平面に対して右下りに傾斜している。また、右遮光板７０が振り下げ状態にあり、右遮光板７０の上縁７６が左下りに傾斜している。
【００４６】
左右の遮光板６０，７０が共に振り下げ状態であると、遮光板６０，７０の上縁６６，７６が第二焦点Ｆ２から下に離れ、第二焦点Ｆ２及びその近傍では遮光されない。そのため、図７（ｂ）に示すような配光パターンＰ２が仮想スクリーンに形成される。配光パターンＰ２は、走行用・ハイビーム用の配光パターンであって、中心部においてＨ線よりも上に明部を有するものである。
【００４７】
そして、ソレノイド１０１のプランジャ１０２が左へ引き出ると、Ｌ型リンク１０６が正面から見て反時計回りに回転して、駆動ピン１０８が振り下げられる。駆動ピン１０８が振り下げられると、重力によって従動板１１０、左遮光板６０及び錘９１が正面から見て時計回りに回転して、左遮光板６０が振り上げられる。左遮光板６０の振り上げに伴って、右遮光板７０の左部７３が摺動ピン８２によって上に押され、錘９２の荷重によって右遮光板７０が正面から見て反時計回りに回転して振り上げられる。左右の遮光板６０，７０が振り上げられる際には、摺動ピン８２がガイド穴８１に沿って右に摺動する。そして、摺動ピン８２がガイド穴８１の右端に当接すると、左右の遮光板６０，７０の振り上げ動作が止まる。この時、ソレノイド１０１のプランジャ１０２の引出動作も止まる。
【００４８】
以上のように本実施形態によれば、シェード４０の遮光する部分が二枚の遮光板６０，７０に分かれている。これらの遮光板６０，７０の回転軸６５，７５が光軸Ａｘから左右に離れており、遮光板６０，７０が光軸Ａｘに平行な回転軸６５，７５の回りに回転するので、遮光板６０，７０の回転角度が小さくとも、遮光板６０，７０の上縁６６，７６の移動距離が大きくなる。したがって、遮光板６０，７０が振り下げ状態になると、遮光板６０，７０の上縁６６，７６が第二焦点Ｆ２から大きく離れている。そのため、遮光板６０，７０が振り下げ状態になると、遮光される光量が少なく、走行用・ハイビーム用の配光パターンＰ２が明るいものとなる。そして、光源１０から発した光が有効的に利用されるため、路面上にて遠方の視認性が向上し、安全運転に貢献することができる。
【００４９】
また、遮光板６０，７０が振り下げられた状態では、遮光板６０，７０の上縁６６，７６が第二焦点Ｆ２から大きく下に離れているとともに、上縁６６，７６が略Ｖ字状を成しているから、配光パターンＰ２のホットゾーン（中央の明るい領域）を大きくすることができる。つまり、本実施形態によれば、すれ違い配光と走行用配光とでホットゾーンの大きさを変えられるため、すれ違い配光と走行用配光との明確な違い（いわゆる切替感）を得ることができる。
【００５０】
また、遮光板６０，７０が、前後方向に延びた回転軸６５，７５を支点として上下に揺動するから、プロジェクタ型前照灯１の前後方向の長さを小さくすることができ、コンパクトなプロジェクタ型前照灯１を提供することができる。
【００５１】
また、錘９１，９２の荷重を利用して遮光板６０，７０が共に振り上げ状態になるから、ソレノイド１０１を低コストな単動式（スプリングリターン式）のものとすることができる。
また、連動機構８０が設けられているから、１つのソレノイド１０１だけで、両方の遮光板６０，７０を駆動することができる。
また、シェード４０の構造がシンプルであり、シェード４０が故障しにくい。
また、左遮光板６０の右部６３の厚みと右遮光板７０の左部７３の厚みの和が他の部分の厚みに等しいから、形成されるカットオフラインＣ１がどの部分でも同じ明りょうさで現れる。
また、連動機構８０によって左右の遮光板６０，７０が連動して同時に回転するので、ロービームからハイビームへの切替及びその逆の切替が速くなる。
【００５２】
なお、本発明を適用可能な実施形態は、上述した実施形態に限定されることなく、本発明の趣旨を逸脱しない範囲で適宜変更可能である。以下、幾つかの変形例を挙げる。以下に挙げる変形例は、可能な限り組み合わせてもよい。
【００５３】
〔変形例１〕
上記実施形態では、連動機構８０によって左右の遮光板６０，７０が連動して同時に回転するようになっていたが、連動機構８０が設けられていなくてもよい。この場合、更に駆動機構を設け、その駆動機構が左の駆動機構１００に同期して、右遮光板７０を振り上げ状態から振り下げ状態に及びその逆に駆動する。
なお、左の駆動機構１００と右の駆動機構が同期せず、左の駆動機構１００による左遮光板６０の振り下げ動作と、右の駆動機構による右遮光板７０の振り下げ動作のどちらかが先に行われてもよい。振り上げ動作についても同様である。
【００５４】
〔変形例２〕
リンク機構等の伝動機構を右遮光板７０とソレノイド１０１のプランジャ１０２との間に設けてもよい。こうすれば、プランジャ１０２の引込動作が伝動機構によって右遮光板７０の振り下げ動作として伝達し、左右の遮光板６０，７０が連動して振り下げられる。一方、プランジャ１０２の引出動作が伝動機構によって右遮光板７０の振り上げ動作として伝達し、左右の遮光板６０，７０が連動して振り上げられる。この場合、連動機構８０が設けられていなくてもよい。
【００５５】
〔変形例３〕
上記実施形態では、ガイド穴８１が右遮光板７０の左部７３に設けられ、摺動ピン８２が左遮光板６０の右部６３に設けられていた。それに対して、ガイド穴８１と左右対称なガイド穴が左遮光板６０の右部６３に設けられ、摺動ピンが右遮光板７０の左部７３に設けられ、その摺動ピンがそのガイド穴に挿入されていてもよい。
【００５６】
〔変形例４〕
左遮光板６０を回転させるための動力源がソレノイド１０１に限るものではなく、モータであってもよいし、ピエゾ素子であってもよいし、その他の動力源であってもよい。例えば、モータの駆動軸を回転軸６５に直結してもよいし、モータの駆動軸と回転軸６５との間に歯車機構を設けてもよい。
【００５７】
〔変形例５〕
上記実施形態では、右遮光板７０の左部７３が左遮光板６０の右部６３の前に重なっていたが、右遮光板７０の左部７３が左遮光板６０の右部６３の後ろに重なっていてもよい。この場合、左遮光板６０の右部６３の後ろ側が凹んでおり、右遮光板７０の左部７３の前側が凹んでいる。
【００５８】
〔変形例６〕
上記実施形態では、バルブである光源１０が光軸Ａｘ方向（前後方向）を長手方向として配置されていたが、光源１０の長手方向が光軸Ａｘに対して交差するように光源１０が配置されていてもよい。例えば、光源１０の長手方向が左右方向になるように、光源１０が横置きに配置されていてもよい。
【００５９】
〔変形例７〕
上記実施形態では、ソレノイド１０１のリターンスプリングや錘９１，９２によって遮光板６０，７０が振り下げ状態から振り上げ状態に振り上げられ、遮光板６０，７０が振り上げ状態に保たれていた。リターンスプリングや錘９１，９２に加えて、又は、リターンスプリングや錘９１，９２の代わりに、バネを設けてもよい。そのバネによって、遮光板６０，７０が振り下げ状態から振り上げ状態に振り上げられ、遮光板６０，７０が振り上げ状態に保たれる。
【符号の説明】
【００６０】
１  プロジェクタ型前照灯
２０  リフレクタ
３０  投影レンズ
４０  シェード
６０  左遮光板（左遮光部）
７０  右遮光板（右遮光部）
６５、７５  回転軸
６６、７６  上縁
８０  連動機構
８１  ガイド穴
８２  摺動ピン（摺動子）
１００  駆動機構
Ａｘ  光軸
Ｃ１  カットオフライン（明暗境界線）
Ｐ１、Ｐ２  配光パターン
【図１】
2011159560.tif 000003
【図２】
2011159560.tif 000004
【図３】
2011159560.tif 000005
【図４】
2011159560.tif 000006
【図５】
2011159560.tif 000007
【図６】
2011159560.tif 000008
【図７】
2011159560.tif 000009